(57)【要約】【課題】横樋と固定具の間を止水する必要のない浴槽固定構造の提供。【解決手段】壁１に固定され浴槽フランジ２ａを壁１側へ押し付ける固定具１１と、壁１に接合された横樋１２と、横樋１２と浴槽フランジ２ａの間を止水するオーバーフロー防止用止水部１３とを備え、壁１と横樋１２とオーバーフロー防止用止水部１３と浴槽フランジ２ａとで囲まれた領域Ｓに排水空間Ｓ２を形成した浴槽固定構造１０において、排水空間Ｓ２内に固定具１１の全体を配置した。【選択図】図２
2010063494.tif 000002
【特許請求の範囲】
【請求項１】
壁に固定され浴槽フランジを壁側へ押し付ける固定具と、壁に接合された横樋と、横樋と浴槽フランジの間を止水するオーバーフロー防止用止水部とを備え、壁と横樋とオーバーフロー防止用止水部と浴槽フランジとで囲まれた領域に排水空間を形成した浴槽固定構造において、前記排水空間内に固定具の全体を配置したことを特徴とする浴槽固定構造。
【請求項２】
前記オーバーフロー防止用止水部は、前記横樋と一体に成形されて弾性による可撓性を有し、浴槽フランジに弾性力で当接している請求項１記載の浴槽固定構造。
【発明の詳細な説明】
【技術分野】
【０００１】
本発明は、浴槽フランジを壁側へ固定具で押し付けると共に、壁と浴槽フランジの間の隙間から浸入する浸入水を横樋で受け止める浴槽固定構造に関する。
【背景技術】
【０００２】
従来、浴槽固定構造は、図１２及び図１３に示す如く、壁１に固定され浴槽フランジ２ａを壁１側へ押し付ける固定具５２と、固定具５２の下側に設けられ壁１に接合される横樋５５と、横樋５５と浴槽フランジ２ａとの間を止水するオーバーフロー防止用止水部５４とを備え、壁１と浴槽フランジ２ａとの間の隙間から浸入した浸入水を横樋５５で受け止めるようになっている（非特許文献１）。
【非特許文献１】「システムバスルーム  ソレオ  施工説明書」、株式会社ＩＮＡＸが２００８年４月２日に発行、ｐ．１４０〜１４１
【発明の開示】
【発明が解決しようとする課題】
【０００３】
前記浴槽固定構造は、横樋５５と固定具５２との隙間をシール材５６で止水することで、この隙間から横樋５５の外側へ前記侵入水が漏れ出るのを防止している。
このため、前記浴槽固定構造は、
（１）横樋５５と固定具５２との間をシール材５６で止水する手間が必要であり、
（２）シール材５６を設けるのを忘れたり、シール材５６が切れたり劣化したりすると、前記浸入水が横樋５５の外側に漏れ出る、
という問題があった。
【０００４】
本発明は、上記問題を解決するために、横樋と固定具の間を止水する必要のない浴槽固定構造の提供を目的とする。
【課題を解決するための手段】
【０００５】
横樋と固定具の間を止水する必要のない浴槽固定構造を得るために請求項１記載の本発明が採用した手段は、壁に固定され浴槽フランジを壁側へ押し付ける固定具と、壁に接合された横樋と、横樋と浴槽フランジの間を止水するオーバーフロー防止用止水部とを備え、壁と横樋とオーバーフロー防止用止水部と浴槽フランジとで囲まれた領域に排水空間を形成した浴槽固定構造において、前記排水空間内に固定具の全体を配置したことを特徴とする浴槽固定構造である。
本発明にあっては、侵入水が導かれる排水空間内に配置した固定具を該空間の外側へ露出することがないため、固定具と横樋の間に止水を必要とする箇所を生じさせることはない。
【０００６】
施工時の作業をし易くするために請求項２記載の本発明が採用した手段は、前記オーバーフロー防止用止水部は、前記横樋と一体に成形されて弾性による可撓性を有し、浴槽フランジに弾性力で当接している請求項１記載の浴槽固定構造である。
本発明にあっては、横樋とオーバーフロー防止用止水部が一体に成形されているので、両者を接合する手間を省くことができる。
【発明の効果】
【０００７】
請求項１記載の本発明に係る浴槽固定構造は、固定具と横樋の間に止水を必要とする箇所を生じさせないため、従来必要としていた横樋と固定具の間をシール材で止水する手間を省くことができ、固定具を介して横樋の外側へ漏水する心配も無くなる。
【０００８】
請求項２記載の本発明に係る浴槽固定構造は、横樋とオーバーフロー防止用止水部を接合するための手間を省くことで、施工現場で横樋とオーバーフロー防止用止水部を接合する従来に比べて施工時の作業性を良好にできる。
【発明を実施するための最良の形態】
【０００９】
本発明に係る浴槽固定構造（以下、「本発明構造」という。）を図面に示す実施の形態に基づいて説明する。
【００１０】
（第１の実施の形態）
図１〜図６は本発明構造の第１の実施の形態を示すものである。図１は本発明構造１０を備える浴室を示すものであって浴槽２を省略して要部を示した平面図、図２は図１中のイ−イ線で断面した断面図、図３は図２中のロ−ロ線で断面し横樋１２を途中で省略して要部を示した断面図である。図４は図２中に示すスペーサー１５を設けないようにすることで厚みの薄い浴槽フランジ２ａを壁１と固定具１１との間に嵌入させた態様を示す断面図、図５は図１中に示す２本の竪樋１４のうち片方１４Ａだけを設けるようにした態様を示す平面図である。図６は、図（Ａ）が図１中及び図５中の一点鎖線ハで囲んだ部分を示す斜視図であり、図（Ｂ）が図（Ａ）中の横樋１２Ａ、１２Ｂどうしを上下に分離して示す斜視図である。
【００１１】
本発明構造１０は、図２に示す如く、壁１に固定された固定具１１と、壁１に接合された横樋１２と、横樋１２と浴槽フランジ２ａとの間を止水するオーバーフロー防止用止水部１３とを備え、壁１と横樋１２とオーバーフロー防止用止水部１３と浴槽フランジ２ａとで囲まれた領域Ｓに、壁１と浴槽フランジ２ａの垂下部２ａ−１との間に形成され上端が開口した隙間Ｓ１及び該隙間Ｓ１に連通する排水空間Ｓ２を形成し、排水空間Ｓ２に固定具１１の全体を配置してある。本発明構造１０を備えた浴室は、防水パン３（図１参照）上に浴槽２が設置され、防水パン３の周縁部に立設した壁パネル１Ａ、１Ｂ、１Ｃで壁１が構築され、横樋１２の下流端側に通じる竪樋１４が設けられ、隙間Ｓ１へ侵入して排水空間Ｓ２へ導かれた侵入水を竪樋１４へ導いて排水するようにしてある。
【００１２】
前記固定具１１は、図１及び図２に示す如く、適宜個数が壁１に固定され、浴槽フランジ２ａの垂下部２ａ−１を壁１側へ向かって押し付けることで、壁１と浴槽フランジ２ａの垂下部２ａ−１の間が所望寸法よりも大きくならないようにしてある。固定具１１は、ステンレススチール片を折曲げ加工する等して成形され、ネジ挿通孔を挿通して壁１に螺着したネジ２１で壁１に固定される固定片１１ａと、壁１に対面し浴槽フランジ２ａの垂下部２ａ−１を壁１側へ押付ける押付け片１１ｂと、固定片１１ａ及び押付け片１１ｂを連結する連結片１１ｃとを備える。
【００１３】
前記固定具１１の壁１に対する固定には、浴槽フランジ２ａの垂下部２ａ−１の厚み寸法の差異により、二通りの態様がある。一方の態様は、図４に示す如く、固定具１１の固定片１１ａを壁１に直接当接させた状態としてある。他方の態様は、図２に示す如く、壁１と固定具１１との間に樹脂素材等から成形されたスペーサー１５を介在させて壁１と押付け片１１ｂとの隙間寸法を広げた状態としてあり、壁１と押付け片１１ｂの間に、一方の態様に比べて厚い浴槽フランジ２の垂下部２ａ−１を嵌入できるようにしてある。他方の態様は、スペーサー１５の一枚の厚み寸法や、重ね合わせるスペーサー１５の枚数を適宜選択することで、垂下部２ａ−１の各種の厚み寸法に対応させることが可能となる。
【００１４】
前記横樋１２は、図１に示す如く、浴槽２の長辺に沿う横樋１２Ｂと、浴槽２の短辺に沿う横樋１２Ａ,１２Ｃとがあり、排水方向が矢符Ｅ、Ｆ、Ｇに沿う方向となるように排水勾配θ（図３参照）を付け壁１に接合されると共に、横樋１２Ａ,１２Ｃの下流端側を竪樋１４Ａ、１４Ｂに連通させてある。横樋１２は、図２に示す如く、後述するオーバーフロー防止用止水部１３と一体に樹脂成形され、ネジ挿通孔を挿通して壁１に螺着したネジ２２で壁１に接合される接合片１２ａと、壁１に対面する起立片１２ｂと、接合片１２ａ及び起立片１２ｂを連結する連結片１２ｃとを備える。横樋１２は、オーバーフロー防止用止水部１３に比べて硬質の合成樹脂で成形され、接合片１２ａと壁１との間に止水パッキン２３を配置して止水してある。
【００１５】
前記固定具１１及び前記横樋１２の固定構造は、図２及び図４に示す如く、壁１に穿設した下穴にプラグ２６を嵌入させて、該プラグ２６にシール材を充填した後で、ネジ２１、２２を該プラグ２６に螺着することで、壁１の内部に侵入水が染込むのを阻止している。
【００１６】
前記オーバーフロー防止用止水部１３は、横樋１２に比べて軟質の合成樹脂で成形され、図２に示す如く、横樋１２の起立片１２ｂの上端側から連続して延設されている。前記オーバーフロー防止用止水部１３は、弾性による可撓性を有し、先端に向かうに程に厚みが薄くなる先細りであって、上方へ突出する弧状に形成され、浴槽２を設置する前の状態では、図２中及び図４中の二点鎖線ホに示すように、浴槽フランジ２ａの垂下部２ａ−１の設置予定位置に位置するようになり、また、浴槽２を設置した状態では、同図中の実線で示すように、浴槽フランジ２の垂下部２ａ−１に押されて弾性変形して浴槽フランジ２の垂下部２ａ−１に弾性力で水密に当接するようになる。横樋１２及びオーバーフロー防止用止水部１３は、樹脂を同時に押出しして一体に成形されており、両者１２、１３を別体に形成するときに比べて接合するための手間を省いて施工時の作業性を良好にできるようにしてある。
【００１７】
本発明構造１０における横樋１２及び竪樋１４を配置する態様としては、図１に示す前述の態様の他に、図５に示す如く、横樋１２Ａ、１２Ｂ、１２Ｃを排水方向が矢符Ｇ、Ｅ、Ｈに沿う方向となるように排水勾配を付け壁１に接合すると共に、横樋１２Ａの下流端側に竪樋１４Ａを連通させ竪樋１４を一本とする態様がある。
【００１８】
図１及び図５に示す横樋１２Ａ、１２Ｂどうしの接合構造（同図中の一点鎖線ハ参照）は、次の（ｉ）〜（ｖ）に示す手順で得られる。
（ｉ）先ず、図６（Ｂ）に示す如く、横樋１２Ａの起立片１２ｂ及びオーバーフロー防止用止水部１３を、上流側端から寸法（Ｌ−ｔ）だけ切り取って切欠き部を形成すると共に、横樋１２Ｂの起立片１２ｂ及び上流側のオーバーフロー防止用止水部１３を、下流側端から前記寸法Ｌだけ切り取って切欠き部を形成する。なお、Ｌは接合片１２ａから起立片１２ｂまでの水平寸法、ｔは接合片１２ａの厚み寸法である。
（ｉｉ）次に、横樋１２Ａを、その上流側端が壁パネル１Ｂから厚みｔだけ離れた状態で壁パネル１Ａに接合する。
（ｉｉｉ）続いて、図６（Ａ）に示す如く、壁パネル１Ｂと横樋１２Ａとの隙間に横樋１２Ｂの接合片１２ａを嵌入して横樋１２Ａの連結片１２ｃに横樋１２Ｂの連結片１２ｃを載置した状態で横樋１２Ｂを壁パネル１Ｂに接合する。
（ｉｖ）最後に、横樋１２Ａ、１２Ｂにおける両起立片１２ｂどうしの間、両連結片１２ｃどうしの間及び両接合片１２ａどうしの間をシール材２４で止水した後、浴槽２を防水パン３に設置して完了する。
図１に示す横樋１２Ｂ、１２Ｃの接合構造は、この横樋１２Ａ、１２Ｂの接合構造を左右対称にしたものであり、図５に示す横樋１２Ｂ、１２Ｃの接合構造は、この横樋１２Ａ、１２Ｂの接合構造を時計回りに９０°回転したものである。
【００１９】
本発明構造１０は、図２及び図４に示す如く、入浴者が壁１側に水を飛散させる等して隙間Ｓ１へ侵入させた侵入水を、横樋１２で受け止めて排水空間Ｓ２を通過させて竪樋１４へ導き、竪樋１４を介して防水パン３の排水路（図示略）や洗い場等へ排水すると共に、多量の侵入水が横樋１２からオーバーフローするのをオーバーフロー防止用止水部１３で阻止するようになっている。
【００２０】
本発明構造１０は、隙間Ｓ１へ侵入させた侵入水を排水空間Ｓ２内へ導いて排水することができ、また、排水空間Ｓ２内にその全体を配置した固定具１１を排水空間Ｓ２の外側へ露出することがないため、固定具１１と横樋１２の間に止水を必要とする箇所を生じさせることはない。これにより、本発明構造１０は、従来必要としていた横樋と固定具の間をシール材で止水する手間を省くことができ、固定具を介して横樋の外側へ漏水する心配も無くなる。
【００２１】
（第２の実施の形態）
図７〜図９は、本発明の第２の実施の形態を示すものである。図７は本発明構造３０を備える浴室を示すものであって浴槽２を省略して要部を示した平面図、図８は図７中の一点鎖線ニで囲んだ部分を示す斜視図であって目地材３１を二点鎖線で示したものであり、図９（Ａ）は図８中の横樋１２を示す斜視図であり、図９（Ｂ）は図８中の目地材３１を浴槽フランジ２よりも上側に分離して示す斜視図である。本実施の形態における本発明構造３０の特徴とするところは、浴槽２の長辺側の壁１Ｂと浴槽２の長辺側の浴槽フランジ２ａとの間の隙間を目地材３１（図８参照）で止水することで横樋１２Ｂを省略する共に、横樋１２Ａ、１２Ｃに排水方向が矢符Ｇに沿う方向となるように排水勾配を付け、横樋１２Ａ、１２Ｃの下流側に竪樋１４Ａ、１４Ｂを連通させたものである。
【００２２】
本発明構造３０における横樋１２Ａ及び目地材３１の接合構造は、次の（ｉ）〜（ｉｉｉ）に示す手順で得られる。
（ｉ）先ず、図９（Ａ）に示す如く、横樋１２Ａの上流側端部における起立片１２ｂの上側及びオーバーフロー防止用止水部１３を切り取って切欠き部を形成すると共に、接合片１２ａ、連結片１２ｃ及び残った起立片１２ｂの上流側端を壁パネル１Ｂに当接させ壁パネル１Ｂとの間をシール材２４で止水する。
（ｉｉ）次に、図９（Ｂ）に示す如く、浴槽２を設置して、前記切欠き部に浴槽フランジ２ａの垂下部２ａ−１を嵌入させる。
（ｉｉｉ）最後に、目地材３１における壁パネル１Ａ側の下端側を切り取って切欠き部を形成し、図８に示す如く、該目地材３１を浴槽フランジ２ａと壁パネル１Ｂとの間に嵌入して完了する。
本発明構造３０における横樋１２Ｃ及び目地材３１の接合構造は、この横樋１２Ａ及び目地材３１の接合構造を左右対称にしたものである。
【００２３】
（第３の実施の形態）
図１０及び図１１は、本発明の第３の実施の形態を示すものであって、図１０は縦断面図、図１１（Ａ）は横樋４１Ａ、４１Ｂどうしの接合構造を示す斜視図であって浴槽２を省略して要部を示した斜視図、図１１（Ｂ）は図１１（Ａ）に示す横樋４１Ａ、４１Ｂどうしを上下に分離して示した斜視図である。本実施の形態における本発明構造４０の特徴とするところは、横樋４１とオーバーフロー防止用止水部４２とを別個に成形し、オーバーフロー防止用止水部４２を浴槽フランジ２ａの水平部２ａ−２と横樋４１とで上下方向へ圧縮することで両者２ａ、４１の間を止水したことにある。
【００２４】
前記横樋４１は、接合片１２ａ、起立片１２ｂ及び連結片１２ｃの他に、起立片１２ｂの上端縁から壁１に対して反対側へ水平に突出した載設片１２ｄが設けられ、これら片１２ａ、１２ｂ、１２ｃ、１２ｄが一体に樹脂成形されている。前記オーバーフロー防止用止水部４２は、横断面四角形の棒状の非透水性スポンジを横樋４１の長手寸法に対応させて切断される。本発明構造４０は、壁１に接合された横樋４１の載設片１２ｄの上面にオーバーフロー防止用止水部４２を介して貼着テープ等で接合した後、浴槽２の設置の際に浴槽フランジ２ａの水平部２ａ−２でオーバーフロー防止用止水部４２を上側から押付けて上下方向に圧縮するようにして得られる。
【００２５】
横樋４１Ａ、４１Ｂどうしの接合構造は、次の（ｉ）〜（ｖ）に示す手順で得られる。
（ｉ）先ず、図１１（Ｂ）に示す如く、２つの横樋４１Ａ、４１Ｂのうちの下流側の横樋４１Ａにおける起立片１２ｂ及び載設片１２ｄを、上流側端から寸法（Ｌ−ｔ）だけ切り取って切欠き部を形成すると共に、横樋４１Ｂにおける起立片１２ｂ及び載設片１２ｄを下流側端から前記寸法Ｌだけ切り取って切欠き部を形成する。なお、前述の通り、Ｌは接合片１２ａから起立片１２ｂまでの水平寸法、ｔは接合片１２ａの厚み寸法である。
（ｉｉ）次に、横樋４１Ａをその上流側端が壁パネル１Ｂから厚みｔだけ離れた状態で横樋４１を壁パネル１Ａに接合する。
（ｉｉｉ）続けて、図１１（Ａ）に示す如く、壁パネル１Ｂと横樋４１との隙間に横樋４１の接合片１２ａを嵌入して横樋４１Ａの連結片１２ｃに横樋４１の連結片１２ｃを載置した状態で横樋４１Ｂを壁パネル１Ｂに接合する。
（ｉｖ）最後に、横樋４１Ａ、４１Ｂにおける両起立片１２ｂどうしの間、両連結片１２ｃどうしの間及び両接合片１２ａどうしの間をシール材２４で止水した後、オーバーフロー防止用止水部４２を貼着テープ等を介して載設片１２ｄの上面に接合し、浴槽２を設置して組立てを完了する。
【００２６】
本発明構造４０は、オーバーフロー防止用止水部４２を棒状の非透水性スポンジで形成してあるので、図１１（Ａ）に示す如く、オーバーフロー防止用止水部４２どうしの間は、一方の小口面を他方の側面に接合させて簡単に水密にすることができる。
【図面の簡単な説明】
【００２７】
【図１】本発明構造の第１の実施の形態を示すものであって、本発明構造を備える浴室を示すものであり浴槽を省略して要部を示した平面図である。
【図２】同実施の形態において、図１中のイ−イ線で断面した断面図である。
【図３】同実施の形態において、図２中のロ−ロ線で断面し横樋を途中から省略して要部を示した断面図である。
【図４】同実施の形態において、図２中に示すスペーサーを設けないようにすることで厚みの薄い浴槽フランジを壁と固定具との間に嵌入させた態様を示す断面図である。
【図５】同実施の形態において、図１中に示す２本の竪樋のうち片方だけを設けるようにした態様を示す平面図である。
【図６】同実施の形態において、図（Ａ）は図１中及び図５中の一点鎖線ハで囲んだ部分を示す斜視図であり、図（Ｂ）は図（Ａ）中の横樋どうしを上下に分離して示す斜視図である。
【図７】本発明構造の第２の実施の形態を示すものであって、本発明構造を備える浴室を示すものであり浴槽を省略して要部を示した平面図である。
【図８】同実施の形態において、図７中の一点鎖線ニで囲んだ部分を示す斜視図であって目地材を二点鎖線で示したものである。
【図９】同実施の形態において、図（Ａ）は図８中の横樋を示す斜視図、図（Ｂ）は図８中の目地材を浴槽フランジよりも上側に分離して示す斜視図である。
【図１０】本発明の第３の実施の形態を示すものであって、縦断面図である。
【図１１】同実施の形態において、図（Ａ）は横樋どうしの接合構造を示す斜視図であって浴槽を省略して要部を示した斜視図、図（Ｂ）は図（Ａ）に示す横樋どうしを上下に分離して示した斜視図である。
【図１２】従来の浴槽固定構造を示す斜視図である。
【図１３】図１２中のへ−へ線で断面した断面図である。
【符号の説明】
【００２８】
１…壁  ２ａ…浴槽フランジ  １０…浴槽固定構造  １１…固定具  １２…横樋  
１３…オーバーフロー防止用止水部  Ｓ…領域  Ｓ２…排水空間  
【図１】
2010063494.tif 000003
【図２】
2010063494.tif 000004
【図３】
2010063494.tif 000005
【図４】
2010063494.tif 000006
【図５】
2010063494.tif 000007
【図６】
2010063494.tif 000008
【図７】
2010063494.tif 000009
【図８】
2010063494.tif 000010
【図９】
2010063494.tif 000011
【図１０】
2010063494.tif 000012
【図１１】
2010063494.tif 000013
【図１２】
2010063494.tif 000014
【図１３】
2010063494.tif 000015